(57)【要約】【課題】小型で充分な冷却性能を発揮することができるプロジェクタ及び冷却方法を提供する。【解決手段】本発明に係るプロジェクタ７００は、液晶制御基板７４０と、液晶制御基板７４０の一方の面から離れた位置に配置され、内部に液晶パネル７７４を有する光学エンジン部７６０と、液晶制御基板７４０及び液晶パネル７７４を互いに接続する接続部材８２０と、液晶制御基板７４０と光学エンジン部７６０との間に位置し、光学エンジン部７６０の内部の液晶パネル７７４が配置された空間と連通して該空間を通る環状流路の一部を構成する下側循環ダクト８８０と、環状流路を含む密閉空間Ｓ４の内部に位置し、密閉空間Ｓ４の内部のガスを循環させるファン８３０と、密閉空間Ｓ４の内部の熱を外部に放熱する放熱機構８４０とを備え、密閉空間Ｓ４は接続部材８２０を内包する。【選択図】図２０
2019211560.tif 000002
【特許請求の範囲】
【請求項１】
液晶制御基板と、
前記液晶制御基板の一方の面側であって該一方の面から離れた位置に配置され、内部に液晶パネルを有する光学エンジン部と、
前記液晶制御基板及び前記液晶パネルを互いに接続する接続部材と、
前記液晶制御基板と前記光学エンジン部との間に位置し、前記光学エンジン部の内部の前記液晶パネルが配置された空間と連通して該空間を通る環状流路の一部を構成する下側循環ダクトと、
前記環状流路を含む密閉空間内に位置し、前記密閉空間内のガスを循環させるファンと、
前記密閉空間内の熱を外部に放熱する放熱機構と、
を備え、
前記密閉空間は、前記接続部材を内包する、
プロジェクタ。
【請求項２】
請求項１に記載のプロジェクタにおいて、
前記液晶制御基板には、切欠部が形成されており、
前記接続部材は、前記切欠部を介して前記一方の面の側から他方の面の側に回りこんで、前記他方の面に接続されている、
プロジェクタ。
【請求項３】
請求項２に記載のプロジェクタにおいて、
前記液晶制御基板の前記他方の面側に位置し、両端に前記下側循環ダクトとつながる接続部を有し、当該接続部の一方は前記切欠部を覆い、前記液晶制御基板の他方の面側に、前記下側循環ダクトが形成する前記環状流路の一部と、前記液晶制御基板を間に挟んで平行に延びる流路を形成する上側循環ダクトをさらに備える、
プロジェクタ。
【請求項４】
請求項２に記載のプロジェクタにおいて、
前記液晶制御基板の前記他方の面側に位置し、前記前記切欠部を覆い、前記密閉空間の一部を構成する循環ダクトカバーをさらに備える、
プロジェクタ。
【請求項５】
請求項１から４のいずれか１項に記載のプロジェクタにおいて、
前記下側循環ダクトとつながる受熱ヒートシンクダクトと、
前記受熱ヒートシンクダクトと前記光学エンジン部とつながり、前記ファンを内包する液晶冷却用ダクトと、
をさらに備え、
前記受熱ヒートシンクダクト及び前記液晶冷却用ダクトは前記光学エンジン部の内部の前記空間及び前記下側循環ダクトに接続され、前記液晶冷却用ダクト、前記光学エンジン部の内部の前記空間、前記下側循環ダクト、前記受熱ヒートシンクダクトの順に連通する前記環状流路を形成している、
プロジェクタ。
【請求項６】
請求項１から５のいずれか１項に記載のプロジェクタにおいて、
前記放熱機構は、前記密閉空間の内部に位置する受熱部材と、前記密閉空間の外部に位置する放熱部材と、受熱部材の熱を放熱部材へ伝える伝熱部材を備える、
プロジェクタ。
【請求項７】
請求項１から６のいずれか１項に記載のプロジェクタにおいて、
前記密閉空間を形成する部材のつなぎ目に配置され、前記密閉空間の密閉性を保つ防塵部材をさらに備える、
プロジェクタ。
【請求項８】
液晶制御基板と、
前記液晶制御基板の一方の面側であって該一方の面から離れた位置に配置され、内部に液晶パネルを有する光学エンジン部と、
前記液晶制御基板及び前記液晶パネルを互いに接続する接続部材と、
前記液晶制御基板と前記光学エンジン部との間に位置し、前記光学エンジン部の内部の前記液晶パネルが配置された空間と連通して該空間を通る環状流路の一部を構成する下側循環ダクトと、
を備え、
前記接続部材を内包する密閉空間が形成されているプロジェクタの冷却方法であって、
前記環状流路内においてガスを循環させ、該ガスが受け取った熱を前記環状流路の外部に放熱する、
冷却方法。 
【発明の詳細な説明】
【技術分野】
【０００１】
本発明は、プロジェクタ及び冷却方法に関する。
【背景技術】
【０００２】
プロジェクタは、光源ユニット、光学エンジン部、投写レンズ等を備える。光源ユニットは、光を出射する。光学エンジン部は、光源ユニットが出射した光を変調することで映像を形成している。投写レンズは、形成された映像をスクリーンへ投写している。このようにして、プロジェクタは、映像を形成し、スクリーンへ投写している。しかし、映像の投写時には、光学エンジン部の一部の部品は、光源ユニットが出射した光を受けるために高温になる。そこで、高温となった部品を冷却するための機構を備えるプロジェクタの一例が、特許文献１や特許文献２に記載されている。
特許文献１のプロジェクタの冷却装置は、冷却対象及び冷却ガスを密閉収納して冷却ガスを循環可能な隔壁と、冷却対象に冷却ガスを送風すると共に密閉空間に封入された冷却ガスを循環させる軸流ファンと、軸流ファンが光学装置に供給する冷却ガスを冷却する冷却ユニットと、を備える。このプロジェクタによれば、冷却装置が、高温となる冷却対象（特に熱に弱い部品）を冷却できる。
他方、特許文献２のプロジェクタは、冷却対象を内部に収納する密閉筐体を有し、密閉筐体内に冷却気体を循環させることで冷却対象を冷却する循環冷却装置と、循環冷却装置の外側に配置され、プロジェクタを制御する制御部と、循環冷却装置及び制御部を収納し、外装を構成する外装筐体と、を備える。循環冷却装置は、密閉筐体内に配置され、冷却気体を冷却対象に送風する冷却ファンと、冷却対象を冷却した気体の熱を吸熱する吸熱部と、密閉筐体とで密閉空間を形成し、冷却ファンと制御部との電気的接続を中継する中継部と、を備える。中継部は、密閉空間側となる内面に冷却ファンと電気的に接続される接続部材を有し、密閉空間側とは反対側となる外面に制御部と電気的に接続される接続部材を有する両面基板を備える。このプロジェクタによれば、冷却対象は冷却される。
【先行技術文献】
【特許文献】
【０００３】
【特許文献１】特開２０１５−１９４７１６号公報
【特許文献２】特開２０１６−２２４３９９号公報
【発明の概要】
【発明が解決しようとする課題】
【０００４】
特許文献１では、冷却ガスを密閉収納している隔壁の形状に応じては、冷却ガスの流路の断面積が必要以上に小さくなるおそれがある。流路が狭い場合、冷却ガスが循環しにくくなり、冷却対象は、充分に冷却されないおそれがある。他方、充分な流路の断面積を得ようとすると、隔壁で囲まれる密閉空間を大きくする必要があり、装置全体が大型化するおそれがある。
特許文献２に記載されたプロジェクタにおいても、特許文献１と同様に、冷却対象が充分に冷却されないおそれや、装置全体が大型化するおそれがある。また、このプロジェクタは、密閉空間の内面の、冷却ファンと接続される接続部材の位置に応じては、接続部材が流路を塞ぎ、冷却ガスが循環しにくくなり、冷却対象が冷却されにくくなるおそれがある。
そこで、本発明の目的は、上述した課題を鑑み、小型で充分な冷却性能を発揮することができるプロジェクタ及び冷却方法を提供することにある。
【課題を解決するための手段】
【０００５】
本発明に係るプロジェクタは、液晶制御基板と、前記液晶制御基板の一方の面側であって該一方の面から離れた位置に配置され、内部に液晶パネルを有する光学エンジン部と、前記液晶制御基板及び前記液晶パネルを互いに接続する接続部材と、前記液晶制御基板と前記光学エンジン部との間に位置し、前記光学エンジン部の内部の前記液晶パネルが配置された空間と連通して該空間を通る環状流路の一部を構成する下側循環ダクトと、前記環状流路を含む密閉空間内に位置し、前記密閉空間内のガスを循環させるファンと、前記密閉空間内の熱を外部に放熱する放熱機構と、を備え、前記密閉空間は、前記接続部材を内包する。
本発明に係る冷却方法は、液晶制御基板と、前記液晶制御基板の一方の面側であって該一方の面から離れた位置に配置され、内部に液晶パネルを有する光学エンジン部と、前記液晶制御基板及び前記液晶パネルを互いに接続する接続部材と、前記液晶制御基板と前記光学エンジン部との間に位置し、前記光学エンジン部の内部の前記液晶パネルが配置された空間と連通して該空間を通る環状流路の一部を構成する下側循環ダクトと、を備え、前記接続部材を内包する密閉空間が形成されているプロジェクタの冷却方法であって、前記環状流路内においてガスを循環させ、該ガスが受け取った熱を前記環状流路の外部に放熱する、冷却方法。
【発明の効果】
【０００６】
本発明によれば、小型で充分な冷却性能を発揮するプロジェクタ及び冷却方法を提供することができる。
【図面の簡単な説明】
【０００７】
【図１】本発明の第１実施形態であるプロジェクタの内部の構成を示す正面斜視図である。
【図２】図１に示したプロジェクタの背面斜視図である。
【図３】図１に示したプロジェクタの構成要素のうち、光源ユニット、投写レンズホルダ、投写レンズ及び光学エンジン部の構成を示す構造図である。
【図４】図１に示したプロジェクタの液晶パネルと液晶制御基板との接続部の構成を示す斜視図である。
【図５】図１に示したプロジェクタの平面図である。
【図６】図５に示した矢視Ａ−Ａにおける断面図である。
【図７】図１に示したプロジェクタの一部を分解した分解斜視図である。
【図８】第１比較形態であるプロジェクタの構成を示す正面斜視図である。
【図９】図８に示したプロジェクタの背面斜視図である。
【図１０】図８に示したプロジェクタの平面図である。
【図１１】図１０に示した矢視Ａ−Ａにおける断面図である。
【図１２】図１０に示した矢視Ｂ−Ｂにおける断面図である。
【図１３】図５に示した矢視Ｂ−Ｂにおける断面図である。
【図１４】図８に示したプロジェクタから上側循環ダクトを取外した構成を示す斜視図である。
【図１５】図６に示した矢視Ａ−Ａにおける断面図である。
【図１６】本発明の第２実施形態であるプロジェクタの内部の構成を示す正面斜視図である。
【図１７】図１６に示したプロジェクタの背面斜視図である。
【図１８】図１６に示したプロジェクタの平面図である。
【図１９】図１８に示した矢視Ａ−Ａにおける断面図である。
【図２０】本発明の第３実施形態であるプロジェクタの構成を示す構造図である。
【発明を実施するための形態】
【０００８】
以下、本発明に係る実施形態について図面を参照して説明する。
［第１実施形態］
＜構成＞
図１は、本発明の第１実施形態であるプロジェクタの内部の構成を示す正面斜視図である。図２は、図１に示したプロジェクタの背面斜視図である。図１及び図２を参照すると、プロジェクタ１００は、光源ユニット１１０、投写レンズホルダ１２０、投写レンズ１３０、液晶制御基板１４０、液晶冷却用ダクト１５０、光学エンジン部１６０、下側循環ダクト２８０、上側循環ダクト１９０、受熱ヒートシンクダクト２００及び放熱ヒートシンクダクト２１０を備える。プロジェクタ１００は、外部機器から入力された映像信号に基づいて、映像を形成し投写する。
まず、プロジェクタ１００の構成を説明する。図３は、プロジェクタ１００の構成要素のうち、光源ユニット１１０、投写レンズホルダ１２０、投写レンズ１３０及び光学エンジン部１６０の構成を示す構造図である。
【０００９】
光源ユニット１１０は、光学エンジン部１６０に向けて光を出射可能である。光源ユニット１１０は、公知のプロジェクタの光源用のランプ、例えばハロゲンランプを備えている。
光学エンジン部１６０は、後述する液晶制御基板１４０の一方の面（下面）側であって、一方の面から離れた位置に配置されている（図１及び図６参照）。光学エンジン部１６０は、インテグレータ光学部１６１、色分離光学部１６２、映像形成部１６３、外部隔壁１６４を備える。
インテグレータ光学部１６１は、光学エンジン部１６０からの光が入射可能な位置に配置されている。インテグレータ光学部１６１は、複数のレンズから構成され、光の照度分布を均一化する。
【００１０】
色分離光学部１６２は、ダイクロイックミラー１６５，１６６、ミラー１６７，１６８，１６９及びリレーレンズ１７０，１７１を備える。色分離光学部１６２は、入射した白色光を、赤色光、緑色光及び青色光に分離する。ダイクロイックミラー１６５は、赤色の波長域の光を反射し、赤色の波長域以外の波長域の光を透過する特性を有する。ダイクロイックミラー１６６は、緑色の波長域の光を反射し、緑色の波長域以外の波長域の光を透過する特性を有する。ダイクロイックミラー１６５は、インテグレータ光学部１６１が出射した光が略４５°の入射角で入射するように配置されている。ダイクロイックミラー１６５で反射された光の光路上にミラー１６８が位置している。ダイクロイックミラー１６６は、ダイクロイックミラー１６５を透過した光が略４５°の入射角で入射するように配置されている。ダイクロイックミラー１６６を透過した光の光路上に、リレーレンズ１７０及びミラー１６７が配置されている。ミラー１６７で反射された光の光路上に、リレーレンズ１７１及びミラー１６９が配置されている。リレーレンズ１７０，１７１は、長い光路における光の発散等に基づく光の利用効率の低下を防止するために設けられている。すなわち、リレーレンズ１７０に入射した光を、できるだけそのままミラー１６９にて反射させる。
映像形成部１６３は、レンズ１７２ｒ，１７２ｇ，１７２ｂ、入射側偏光板１７３ｒ，１７３ｇ，１７３ｂ、液晶パネル１７４ｒ，１７４ｇ，１７４ｂ、出射側偏光板１７５ｒ，１７５ｇ，１７５ｂ、クロスダイクロイックプリズム１７６、レンズ１７７及び内部隔壁１７８を備える。映像形成部１６３は、入射した各色の光を変調して映像を形成し、出射する。
３つの入射側偏光板１７３ｒ，１７３ｇ，１７３ｂは、色分離光学部１６２のミラー１６８，１６６，１６９のそれぞれの反射光の光路上にそれぞれ位置している。入射側偏光板１７３ｒ，１７３ｇ，１７３ｂは、入射した各色光のうち、一定方向の偏光のみ透過させ、その他の光を吸収するものである。入射側偏光板４４２は、サファイヤガラス等の基板に偏光膜が貼付されたものである。
【００１１】
各入射側偏光板１７３ｒ，１７３ｇ，１７３ｂを通る光の光路上であって、各入射側偏光板１７３ｒ，１７３ｇ，１７３ｂの後段には、液晶パネル１７４ｒ，１７４ｇ，１７４ｂ及び出射側偏光板１７５ｒ，１７５ｇ，１７５ｂがそれぞれ配置されている。各液晶パネル１７４ｒ，１７４ｇ，１７４ｂは、液晶制御基板１４０（図１，２参照）に接続されている。液晶パネル１７４ｒ，１７４ｇ，１７４ｂと液晶制御基板１４０との接続について、図４を参照して説明すると、液晶制御基板１４０は、四角形状に切欠かれた切欠部１４１が形成された回路基板である。すなわち、液晶制御基板１４０は、切欠部１４１の内周端部１４２ｒ，１４２ｇ，１４２ｂに設けられた接続部材（例えばフレキシブル基板）２２０ｒ，２２０ｇ，２２０ｂを介して、３つの液晶パネル１７４ｒ，１７４ｇ，１７４ｂにそれぞれ接続されている。より詳細には、接続部材２２０ｒの長手方向の一端は、液晶パネル１７４ｒに接続されている。接続部材２２０ｒの他端は、切欠部１４１を介して、液晶制御基板１４０の光学エンジン部１６０が配置されていない側（他方の面（上面）側）に回り込んで、液晶制御基板１４０の内周端部１４２ｒの近傍の接続部に接続されている。同様にして、接続部材２２０ｇは、液晶パネル１７４ｇと液晶制御基板１４０の内周端部１４２ｇの近傍の接続部とに接続されている。接続部材２２０ｂは、液晶パネル１７４ｂと液晶制御基板１４０の内周端部１４２ｂの近傍の接続部とに接続されている。液晶制御基板１４０は、液晶パネル１７４ｒ，１７４ｇ，１７４ｂに、それぞれに対応する色の画像を形成するための映像信号をそれぞれ出力する。液晶パネル１７４ｒ，１７４ｇ，１７４ｂは、例えば、ポリシリコンＴＦＴをスイッチング素子として用いたものであり、液晶制御基板１４０からの映像信号に基づいて、入射した光を変調する。
【００１２】
再び図３を参照する。３つの出射側偏光板１７５ｒ，１７５ｇ，１７５ｂは、液晶パネル１７４ｒ，１７４ｇ，１７４ｂから出射された光のうち、所定方向の偏光のみ透過させ、その他の光を吸収する。なお入射側偏光板１７３ｒ，１７３ｇ，１７３ｂ及び出射側偏光板１７５ｒ，１７５ｇ，１７５ｂは、互いの偏光軸の方向が直交するように配置されている。
入射側偏光板１７３ｒ，１７３ｇ，１７３ｂ、液晶パネル１７４ｒ，１７４ｇ，１７４ｂ及び出射側偏光板１７５ｒ，１７５ｇ，１７５ｂは、組み合わさって、入射した光に基づく画像を形成する。そして、各出射側偏光板１７５ｒ，１７５ｇ，１７５ｂに囲まれる位置にクロスダイクロイックプリズム１７６が配置されている。入射側偏光板１７３ｒ，１７３ｇ，１７３ｂ、液晶パネル１７４ｒ，１７４ｇ，１７４ｂ及び出射側偏光板１７５ｒ，１７５ｇ，１７５ｂは、それぞれが形成した各色の画像をクロスダイクロイックプリズム１７６へ出射する。クロスダイクロイックプリズム１７６は、入射した各色の画像を合成したカラー画像を形成する。このクロスダイクロイックプリズム１７６に対向する位置に、レンズ１７７が配置されている。以上説明した入射側偏光板１７３ｒ，１７３ｇ，１７３ｂ、液晶パネル１７４ｒ，１７４ｇ，１７４ｂ、出射側偏光板１７５ｒ，１７５ｇ，１７５ｂ、クロスダイクロイックプリズム１７６が、内部隔壁１７８に囲まれた空間内に収納されている。この空間は、内部隔壁１７８に嵌め込まれたレンズ１７２ｒ，１７２ｇ，１７２ｂ，レンズ１７７を介して、外部との間で光の出入りが可能である。なお、内部隔壁１７８は、光学エンジン部１６０に含まれるその他の構成部品（図示せず）も収納してよい。
【００１３】
以上説明したインテグレータ光学部１６１、色分離光学部１６２、映像形成部１６３が、外部隔壁１６４の内側に収納されている。この外部隔壁１６４には、前述した光源ユニット１１０が取り付けられて光学エンジン部１６０のインテグレータ光学部１６１と対向している。また、外部隔壁１６４には、投写レンズホルダ１２０が取り付けられており、この投写レンズホルダ１２０に支持されている投写レンズ１３０が、光学エンジン部１６０の映像形成部１６３に対向している。投写レンズ１３０は、図示しないスクリーンに対向している。クロスダイクロイックプリズム１７６は、形成したカラー画像を、レンズ１７７を介して投写レンズ１３０へ出射する。この光学エンジン部１６０は、カラー画像を連続的に形成して映像を出射することができる。
【００１４】
＜投写方法＞
以上説明した構成のプロジェクタを用いて画像又は映像を投写する方法について説明する。光源ユニット１１０は、光学エンジン部１６０に向けて白色光１１１を出射する。光学エンジン部１６０は、液晶制御基板１４０からの映像情報を基に、入射した白色光を変調して映像を形成する。また、形成された映像を投写レンズ１３０へ出射する。具体的には、光源ユニット１１０から入射した白色光１１１は、インテグレータ光学部１６１において、照度分布が均一化される。そして、照度分布が均一化された白色光は、色分離光学部１６２において赤色光、緑色光及び青色光に分離される。具体的には、ダイクロイックミラー１６５に入射した光のうち赤色の波長域の光は、ダイクロイックミラー１６５にて反射され、ミラー１６８を介して映像形成部１６３のレンズ１７２ｒに入射する。ダイクロイックミラー１６５に入射した光のうち赤色の波長域以外の波長域の光は、ダイクロイックミラー１６５を透過してダイクロイックミラー１６６に入射する。ダイクロイックミラー１６６に入射した光のうち緑色の波長域の光はダイクロイックミラー１６６にて反射され、映像形成部１６３のレンズ１７２ｇに入射する。ダイクロイックミラー１６６に入射した光のうち緑色の波長域以外の波長域の光（白色光から赤色光と緑色光が分離された後の青色光）は、ダイクロイックミラー１６６を透過して、リレーレンズ１７０、ミラー１６７、リレーレンズ１７１及びミラー１６９を介して、映像形成部１６３のレンズ１７２ｂに入射する。この青色光は、他の色の光の光路よりも長い光路を進行するが、リレーレンズ１７０，１７１が光の発散等に基づく光の利用効率の低下を防止するため、リレーレンズ１７０に入射した光がほぼそのままレンズ１７２ｂに入射する。
【００１５】
こうして、映像形成部１６３のレンズ１７２ｒ，１７２ｇ，１７２ｂに入射した赤色光、緑色光及び青色光は、入射側偏光板１７３ｒ，１７３ｇ，１７３にて一定方向の偏光のみ透過させられる。各入射側偏光板１７３ｒ，１７３ｇ，１７３ｂを透過した各色の偏光は、液晶パネル１７４ｒ，１７４ｇ，１７４ｂにおいて液晶制御基板１４０からの指令に基づいて変調される。さらに、液晶パネル１７４ｒ，１７４ｇ，１７４ｂにおいて変調された各色の光のうちの所定方向の偏光のみが出射側偏光板１７５ｒ，１７５ｇ，１７５ｂを透過する。このように、レンズ１７２ｒに入射した赤色光から、入射側偏光板１７３ｒ、液晶パネル１７４ｒ及び出射側偏光板１７５ｒが、赤色の画像を形成する。同様に、レンズ１７２ｇに入射した緑色光から、入射側偏光板１７３ｇ、液晶パネル１７４ｇ及び出射側偏光板１７５ｇが緑色の画像を形成する。レンズ１７２ｂに入射した青色光から、入射側偏光板１７３ｂ、液晶パネル１７４ｂ及び出射側偏光板１７５ｂが青色の画像を形成する。そして、各出射側偏光板１７５ｒ，１７５ｇ，１７５ｂからクロスダイクロイックプリズム１７６に出射された各色の画像がクロスダイクロイックプリズム１７６において合成されてカラー画像が形成される。このカラー画像が、クロスダイクロイックプリズム１７６から、レンズ１７７及び投写レンズ１３０を介してスクリーン（図示省略）に投写される。カラー画像が連続的に形成される場合には、スクリーンに映像が投写される。
【００１６】
＜冷却機構＞
本実施形態のプロジェクタ１００は、発熱する冷却対象を冷却する冷却機構を備える。以下、冷却機構について説明する。図５は、図１に示したプロジェクタ１００の平面図である。図６は、図５に示した矢視Ａ−Ａにおける断面図である。図６を参照すると、プロジェクタ１００は、上述した各構成部材の他に、冷却機構を構成する、ファン２３０、放熱機構２４０及び防塵部材２７１，２７２，２７３，２７４，２７５をさらに備える。また、図６に示すように、プロジェクタ１００は、液晶冷却用ダクト１５０、光学エンジン部１６０、下側循環ダクト２８０、上側循環ダクト１９０及び受熱ヒートシンクダクト２００を用いて、内部に密閉空間Ｓ１を形成している。密閉空間Ｓ１には、冷却用のガスが封入されている。冷却用のガスには、公知のプロジェクタの冷却機構に用いられることが可能なヘリウムガス、窒素ガス、空気（大気）などの気体が用いられることができ、本実施形態では、一例として空気が用いられる。より具体的には、下側循環ダクト２８０は、液晶制御基板１４０と、光学エンジン部１６０との間に位置している。下側循環ダクト２８０は、接続部材２２０ｒ，２２０ｇ，２２０ｂを内包している（図４参照）。また、液晶冷却用ダクト１５０の接続部１５１は、光学エンジン部１６０の接続部１７９とつながる。光学エンジン部１６０の接続部１８０は、下側循環ダクト２８０の接続部２８１とつながる。下側循環ダクト２８０の接続部２８２は、受熱ヒートシンクダクト２００の接続部２０１とつながる。受熱ヒートシンクダクト２００の接続部２０２は、液晶冷却用ダクト１５０の接続部１５２とつながる。これにより、液晶冷却用ダクト１５０、光学エンジン部１６０、下側循環ダクト２８０及び受熱ヒートシンクダクト２００は、一続きに組み合わさって、環状流路２９１を形成している。環状流路２９１のうち、下側循環ダクト２８０が形成している部分を下側流路２９２と呼ぶ。なお、光学エンジン部１６０の、内部隔壁１７８、レンズ１７２ｒ，１７２ｇ，１７２ｂ及びレンズ１７７で囲まれた部分（図３参照）が、環状流路２９１の一部となる。すなわち、主な冷却対象である液晶パネル１７４ｒ，１７４ｇ，１７４ｂは、環状流路２９１の内部に位置している。
【００１７】
上側循環ダクト１９０は、液晶制御基板１４０の光学エンジン部１６０が配置されていない側の面に隣接している。また、上側循環ダクト１９０の接続部１９１は、下側循環ダクト２８０の接続部２８３とつながる。上側循環ダクト１９０の接続部１９２は、下側循環ダクト２８０の接続部２８４とつながる。すなわち、上側循環ダクト１９０は、両端に下側循環ダクト２８０とつながる接続部１９１，１９２を有している。これにより、液晶制御基板１４０の光学エンジン部１６０が配置されていない側に、上側循環ダクト１９０は、下側循環ダクト２８０が形成する下側流路２９２と平行に延びるとともに下側流路２９２と連通する上側流路２９３を形成している。なお、液晶制御基板１４０は、密閉空間Ｓ１の気密性を担保した状態で、上側循環ダクト１９０の接続部１９１と下側循環ダクト２８０の接続部２８３とに挟まれている。すなわち、液晶制御基板１４０の切欠部１４１（図４参照）は、上側循環ダクト１９０の接続部１９１に覆われている。
【００１８】
防塵部材２７１，２７２，２７３，２７４，２７５は、密閉空間Ｓ１を形成する各部材のつなぎ目に配置されて、つなぎ目の密閉性を保ち、つなぎ目から外気が侵入することを抑制している。防塵部材２７１，２７２，２７３，２７４，２７５は、ゴムクッションや発泡ゴムを使用したスポンジゴムから構成されている。具体的には、防塵部材２７１は、液晶制御基板１４０と上側循環ダクト１９０の接続部１９１とに挟まれている。防塵部材２７２は、液晶制御基板１４０と下側循環ダクト２８０の接続部２８３とに挟まれている。防塵部材２７３は、下側循環ダクト２８０の接続部２８１と光学エンジン部１６０の接続部１８０とに挟まれている。防塵部材２７４は、上側循環ダクト１９０の接続部１９２と下側循環ダクト２８０の接続部２８４とに挟まれている。防塵部材２７５は、下側循環ダクト２８０の接続部２８２と受熱ヒートシンクダクト２００の接続部２０１とに挟まれている。
【００１９】
ファン２３０は、密閉空間Ｓ１の内部、具体的には、液晶冷却用ダクト１５０の内部に位置し、密閉空間Ｓ１の内部のガスを循環させる。ファン２３０は、受熱ヒートシンクダクト２００の側のガスを光学エンジン部１６０の方向へ送風する。
放熱機構２４０は、密閉空間Ｓ１の内部の熱を外部に放熱する。放熱機構２４０は、受熱部材２４１、放熱部材２４２及び伝熱部材２４３を備える。受熱部材２４１は、密閉空間Ｓ１の内部、より詳細には受熱ヒートシンクダクト２００の内部に配置されている。受熱部材２４１は、一例として、フィンから構成される。放熱部材２４２は、密閉空間Ｓ１の外部、より詳細には、放熱ヒートシンクダクト２１０の内部に配置されている。放熱部材２４２は、一例として、フィンから構成される。なお、放熱ヒートシンクダクト２１０は、プロジェクタ１００の筐体（図示省略）の内部に位置している。放熱ヒートシンクダクト２１０の内部に外気が導入されて送風されており、放熱部材２４２には、放熱ヒートシンクダクト２１０の内部に導入された外気が供給されている。伝熱部材２４３は、受熱部材２４１と放熱部材２４２とを接続している。伝熱部材２４３は、受熱部材２４１の熱を放熱部材２４２へ伝える。伝熱部材２４３は、一例として、ヒートパイプから構成される。
図７は、プロジェクタ１００の一部を分解した分解斜視図である。図７を参照すると、下側循環ダクト２８０、液晶制御基板１４０及び上側循環ダクト１９０は、ブロック化されている。したがって、ブロック化された下側循環ダクト２８０、液晶制御基板１４０及び上側循環ダクト１９０を、この順番で積層することで、プロジェクタ１００は、組み立てられている。
【００２０】
＜冷却方法＞
次に、図６を参照しながら、プロジェクタ１００における、冷却対象の冷却方法を説明する。
プロジェクタ１００が冷却対象の冷却を行うときには、ファン２３０が密閉空間Ｓ１の内部のガスを送風する。送風されたガスは、環状流路２９１に沿って、液晶冷却用ダクト１５０の内部を通り、光学エンジン部１６０へ到達する。光学エンジン部１６０へ到達したガスは、冷却対象である液晶パネル１７４ｒ，１７４ｇ，１７４ｂへ吹き付けられる。液晶パネル１７４ｒ，１７４ｇ，１７４ｂの温度は、映像の形成動作に基づいて高くなっている。したがって、液晶パネル１７４ｒ，１７４ｇ，１７４ｂよりも低温のガスが液晶パネル１７４ｒ，１７４ｇ，１７４ｂに吹き付けられることで、液晶パネル１７４ｒ，１７４ｇ，１７４ｂの熱がガスに奪われる。すなわち、液晶パネル１７４ｒ，１７４ｇ，１７４ｂは冷却される。その後、液晶パネル１７４ｒ，１７４ｇ，１７４ｂを冷却したガスは、光学エンジン部１６０から下側循環ダクト２８０へと流れる。下側循環ダクト２８０では、環状流路２９１の一部が、上側循環ダクト１９０を通る上側流路２９３に枝分かれしている。これにより、下側循環ダクト２８０に到達したガスは、下側循環ダクト２８０の下側流路２９２と、上側循環ダクト１９０の上側流路２９３に枝分かれして流れる。その後、上側循環ダクト１９０の上側流路２９３を流れるガスは、上側循環ダクト１９０を通過した後に、再び下側循環ダクト２８０の下側流路２９２を流れるガスと合流する。そして、合流したガスは、受熱ヒートシンクダクト２００を通って、液晶冷却用ダクト１５０へと流れる。受熱ヒートシンクダクト２００の通過時に、ガスは、受熱部材２４１と接触する。受熱部材２４１は接触するガスよりも低温であるために、ガスの熱は、受熱部材２４１へ移動する。すなわち、ガスの温度が下がる。その後、温度が下がったガスは、液晶冷却用ダクト１５０へと流れる。そして、ガスは、再びファン２３０の位置に到達して、光学エンジン部１６０へと送られる。このようにして、密閉空間Ｓ１の内部のガスは、循環している。
なお、ガスから熱を奪い高温となる受熱部材２４１は、伝熱部材２４３を介して放熱部材２４２と繋がっている。このため、受熱部材２４１の熱は放熱部材２４２へと移動し、放熱部材２４２から外気へと放熱される。すなわち、受熱部材２４１は、密閉空間Ｓ１の内部のガスよりも低温な状態に保たれる。
つまり、プロジェクタ１００は、発熱部である液晶パネル１７４ｒ，１７４ｇ，１７４ｂを冷却して暖められたガスを、密閉空間Ｓ１の外部にある放熱部材２４２と伝熱部材２４３で接続されている受熱部材２４１で冷やして、再度発熱部に供給している。
【００２１】
＜第１比較形態＞
次に、本発明のプロジェクタ１００の作用・効果を明確にするための比較対象とする第１比較形態のプロジェクタについて説明する。図８は、第１比較形態であるプロジェクタの構成を示す正面斜視図である。図９は、図８に示したプロジェクタの背面斜視図である。図１０は、図８に示したプロジェクタを平面方向から見た平面図である。図１１は、図１０に示した矢視Ａ−Ａにおける断面図である。
図８及び図９を参照すると、第１比較形態のプロジェクタ３００は、光源ユニット３１０、投写レンズホルダ３２０、投写レンズ３３０、液晶制御基板３４０、液晶冷却用ダクト３５０、光学エンジン部３６０、上側循環ダクト３９０、受熱ヒートシンクダクト４００及び放熱ヒートシンクダクト４１０を備える。図１１を参照すると、プロジェクタ３００は、さらに、ファン４３０及び放熱機構４４０を備える。ここで、光源ユニット３１０、投写レンズホルダ３２０、投写レンズ３３０、液晶制御基板３４０、液晶冷却用ダクト３５０、光学エンジン部３６０、受熱ヒートシンクダクト４００、放熱ヒートシンクダクト４１０、ファン４３０及び放熱機構４４０は、第１実施形態で説明したものと同じである。プロジェクタ３００は、外部機器から入力された映像信号に基づいて映像を形成し投写する。プロジェクタ３００は、第１実施形態の下側循環ダクト２８０の代わりに、第１中継ダクト４８１と第２中継ダクト４８５とを備える。これに伴い、プロジェクタ３００は、液晶冷却用ダクト３５０、光学エンジン部３６０、第１中継ダクト４８１、上側循環ダクト３９０、第２中継ダクト４８５及び受熱ヒートシンクダクト４００を用いて、内部に密閉空間Ｓ２を形成している。密閉空間Ｓ２には、冷却用のガスが封入されている。また、上側循環ダクト３９０は、液晶制御基板３４０の光学エンジン部３６０が配置されていない側の面に隣接している。光学エンジン部３６０の接続部３８０は、第１中継ダクト４８１の接続部４８２とつながる。第１中継ダクト４８１の接続部４８３は、上側循環ダクト３９０の接続部３９１とつながる。上側循環ダクト３９０の接続部３９２は、第２中継ダクト４８５の接続部４８６とつながる。第２中継ダクト４８５の接続部４８７は、受熱ヒートシンクダクト４００の接続部４０１とつながる。すなわち、プロジェクタ３００はプロジェクタ１００と異なり、光学エンジン部３６０、受熱ヒートシンクダクト４００、上側循環ダクト３９０が繋がる部材が、下側循環ダクト２８０（図６参照）から第１中継ダクト４８１又は第２中継ダクト４８５へと変更されている。また、液晶冷却用ダクト３５０、光学エンジン部３６０、第１中継ダクト４８１、上側循環ダクト３９０、第２中継ダクト４８５、受熱ヒートシンクダクト４００は、組み合わさって、環状流路４９１を形成している。環状流路４９１のうち、上側循環ダクト３９０が形成している部分を上側流路４９２と呼ぶ。なお、液晶制御基板３４０は、密閉空間Ｓ２の気密性を担保した状態で、上側循環ダクト３９０の接続部３９１と第１中継ダクト４８１の接続部４８３とに挟まれている。プロジェクタ３００においても、プロジェクタ１００と同様に、密閉空間Ｓ２の内部に配置されたファン４３０が、密閉空間Ｓ２の内部のガスを循環させている。
【００２２】
＜作用・効果＞
第１比較形態に係るプロジェクタ３００と対比して、以下に第１実施形態に係るプロジェクタ１００の効果を説明する。
【００２３】
（第１の効果）
プロジェクタ１００の密閉空間Ｓ１の内部では、ファン２３０が送風したガスが循環している（図６参照）。これにより、ファン２３０に送風されたガスは、冷却対象である液晶パネル１７４ｒ，１７４ｇ，１７４ｂに供給される。したがって、プロジェクタ１００は、冷却対象である液晶パネル１７４ｒ，１７４ｇ，１７４ｂを冷却できる。
【００２４】
（第２の効果）
液晶パネル１７４ｒ，１７４ｇ，１７４ｂに粉塵が付着すると、粉塵が光路を遮ってしまうことで、液晶パネル１７４ｒ，１７４ｇ，１７４ｂが形成する画像に影ができてしまうおそれがある。しかし、プロジェクタ１００は、冷却対象である液晶パネル１７４ｒ，１７４ｇ，１７４ｂを密閉空間Ｓ１の内部に備える（図６参照）。この密閉空間Ｓ１は密閉されているため、密閉空間Ｓ１の内部に粉塵を多く含んだ外気が侵入しにくい。したがって、プロジェクタ１００は、外気に含まれる粉塵が液晶パネル１７４ｒ，１７４ｇ，１７４ｂに付着することで液晶パネル１７４ｒ，１７４ｇ，１７４ｂが形成する画像が劣化することを防止することができる。
【００２５】
（第３の効果）
図１２は、図１０に示す第１比較形態に係るプロジェクタ３００の矢視Ｂ−Ｂの断面図である。他方、図１３は、図５に示す第１実施形態に係るプロジェクタ１００の矢視Ｂ−Ｂの断面図である。図１２を参照すると、第１比較形態に係るプロジェクタ３００では、光学エンジン部３６０の熱を受熱したガスが流れる流路は、上側循環ダクト３９０が形成する上側流路４９２である。しかし、図１３に示すように、第１実施形態に係るプロジェクタ１００では、光学エンジン部１６０で熱を受熱したガスが流れる流路は、上側循環ダクト１９０が形成する上側流路２９３に加え、下側循環ダクト２８０が形成する下側流路２９２も含まれる。したがって、プロジェクタ１００は、流路の面積が広がり、よりガスが流れやすくなる。これにより、プロジェクタ１００では、ガスの循環時の圧力損失が、プロジェクタ３００よりも小さい。よって、プロジェクタ１００の冷却性能がプロジェクタ３００と比較して向上している。
また、プロジェクタ１００は、上側循環ダクト１９０と下側循環ダクト２８０の２箇所に流路を有する。このため、小型化のために上側循環ダクト１９０を縮小しても、プロジェクタ３００と同等の大きさの流路の断面積を有することができる。したがって、プロジェクタ１００は、上側循環ダクト１９０を縮小することで充分な冷却性能を発揮しながら小型化ができる。
【００２６】
（第４の効果）
第１比較形態に係るプロジェクタ３００では、光学エンジン部３６０と上側循環ダクト３９０との間に液晶制御基板３４０がある（図１１参照）。ここで、図１４は、プロジェクタ３００から上側循環ダクト３９０を取外した構成を示す斜視図である。図１４を参照すると、光学エンジン部３６０から上側循環ダクト３９０へ流れるガスは、液晶制御基板３４０の切欠部３４１を通過する必要がある。しかし、液晶制御基板３４０の切欠部３４１の寸法は、光学エンジン部３６０が備える液晶パネル３７４やクロスダイクロイックプリズム３７６の寸法から制約を受ける場合があり、切欠部３４１を大きくできない場合がある。切欠部３４１が小さい場合、切欠部３４１がオリフィスとなり、切欠部３４１を通過するガスの圧力損失が大きくなるおそれがある。
第１実施形態に係るプロジェクタ１００の上側循環ダクト１９０を流れるガスも同様に圧力損失が生じる（図６参照）。しかし、プロジェクタ１００では、上側循環ダクト１９０のみならず、切欠部３４１の影響を受けない下側循環ダクト２８０もガスが流れる。したがって、プロジェクタ１００では、冷却用のガスのうちの一部のみが上側循環ダクト１９０を流れて圧力損失が生じるが、残りのガスは下側循環ダクト２８０を流れるため大きな圧力損失は生じない。結果として、プロジェクタ１００は、プロジェクタ３００と比較して、切欠部３４１を通過することを理由とするガスの圧力損失が小さい。
【００２７】
（第５の効果）
また、再び図１４を参照すると、第１比較形態に係るプロジェクタ３００では、接続部材４２０が切欠部３４１の周辺に位置している。このため、接続部材４２０が流路の一部を塞ぐために、接続部材４２０近傍を流れるガスには、大きな圧力損失が生じるおそれがある。
第１実施形態に係るプロジェクタ１００の上側循環ダクト１９０を流れるガスも同様に圧力損失が生じる（図６参照）。しかし、プロジェクタ１００における光学エンジン部１６０と下側循環ダクト２８０とのつなぎ目を示す図１５（図６に示した矢視Ａ−Ａにおける断面図）を参照すると、光学エンジン部１６０と下側循環ダクト２８０とのつなぎ目には、長方形の開口２８５が形成されている。開口２８５のそれぞれの辺の長さは、Ｌ１とＬ２とである。また、接続部材２２０ｒ，２２０ｇ，２２０ｂの幅は、全てＬ３である。開口２８５の辺の長さＬ１，Ｌ２は、液晶制御基板１４０の切欠部１４１の大きさと異なり、液晶パネル１７４ｒ，１７４ｇ，１７４ｂやクロスダイクロイックプリズム１７６の寸法からの制約を受けにくく、比較的自由に決められる。したがって、下側循環ダクト２８０と光学エンジン部１６０との間の開口２８５は、接続部材２２０ｒ，２２０ｇ，２２０ｂの幅Ｌ３よりも充分に広くできる。すなわち、接続部材２２０ｒ，２２０ｇ，２２０ｂは、開口２８５をあまり塞いでいない構成にできる。つまり、接続部材２２０ｒ，２２０ｇ，２２０ｂが流路を塞ぐことを理由とする、下側循環ダクト２８０へ流れ込むガスの圧力損失は、上側循環ダクト１９０に流れ込むガスの圧力損失と比較して小さくできる。
よって、プロジェクタ１００は、プロジェクタ３００と比較して、接続部材２２０ｒ，２２０ｇ，２２０ｂが流路を塞ぐことを理由とするガスの圧力損失が小さい。
【００２８】
（第６の効果）
プロジェクタ１００は、ブロック化された下側循環ダクト２８０、液晶制御基板１４０及び上側循環ダクト１９０を備えている（図７参照）。下側循環ダクト２８０、液晶制御基板１４０及び上側循環ダクト１９０をこの順番で積層することで、プロジェクタ１００は、容易に組み立てられる。
【００２９】
（第７の効果）
防塵部材２７１，２７２，２７３，２７４，２７５は、密閉空間Ｓ１を形成する各部材のつなぎ目に配置されている（図６参照）。これにより、プロジェクタ１００は、密閉空間Ｓ１を形成する各部材のつなぎ目から粉塵を多く含んだ外気が侵入することを抑制できる。また、仮にプロジェクタ１００の密閉空間Ｓ１に内部に大気以外の冷却用のガスを充満している場合には、各部材のつなぎ目から冷却用のガスが流出することを抑制できる。
【００３０】
＜変形例＞
なお、上記実施形態で説明したプロジェクタの構成は一例であり、本発明の主旨を逸脱しない範囲内においてその構成を変更してもよい。
例えば、前述した構成では、フィンである受熱部材２４１及び放熱部材２４２とヒートパイプである伝熱部材２４３とを用いて密閉空間Ｓ１の熱を外部に放熱する放熱機構２４０を採用した。しかし、放熱機構２４０は、この機構に限らず、密閉空間Ｓ１の熱を外部に放熱できればよい。
例えば、放熱機構２４０にペルチェ素子のような熱電変換素子を用いてもよい。ペルチェ素子は、電圧を印加することで受熱部の熱を放熱部に移送する性質を持つ。熱電変換素子の受熱部を密閉空間Ｓ１の内部に、放熱部を密閉空間Ｓ１の外部になるように熱電変換素子を配置する。そして、熱電変換素子に電圧を印加することで、密閉空間Ｓ１の内部の熱を外部に放熱できる。また、ラジエーターを使用しても同様の結果が得られる。
【００３１】
［第２実施形態］
＜構成＞
図１６は、本発明の第２実施形態であるプロジェクタの内部の構成を示す正面斜視図である。図１７は、図１６に示したプロジェクタの背面斜視図である。図１８は、図１６に示したプロジェクタを平面図である。図１９は、図１８に示した矢視Ａ−Ａにおける断面図である。図１６及び図１７を参照すると、プロジェクタ５００は、光源ユニット５１０、投写レンズホルダ５２０、投写レンズ５３０、液晶制御基板５４０、液晶冷却用ダクト５５０、光学エンジン部５６０、下側循環ダクト６８０、循環ダクトカバー５９０、受熱ヒートシンクダクト６００及び放熱ヒートシンクダクト６１０を備える。また、図１９を参照すると、プロジェクタ５００は、さらに、ファン６３０及び放熱機構６４０を備える。ここで、光源ユニット５１０、投写レンズホルダ５２０、投写レンズ５３０、液晶制御基板５４０、液晶冷却用ダクト５５０、光学エンジン部５６０、受熱ヒートシンクダクト６００、放熱ヒートシンクダクト６１０、ファン６３０、及び放熱機構６４０は、第１実施形態で説明したものと同じである。プロジェクタ５００は、外部機器から入力された映像信号に基づいて、映像を形成し投写する。
【００３２】
プロジェクタ５００は、第１実施形態のプロジェクタ１００が備える上側循環ダクト１９０（図６参照）の代わりに、循環ダクトカバー５９０を備える（図１９参照）。これに伴い、プロジェクタ５００は、液晶冷却用ダクト５５０、光学エンジン部５６０、下側循環ダクト６８０、循環ダクトカバー５９０及び受熱ヒートシンクダクト６００を用いて、内部に密閉空間Ｓ３を形成している。密閉空間Ｓ３には、冷却用のガスが封入されている。
下側循環ダクト６８０は、液晶制御基板５４０と、光学エンジン部５６０との間に位置している。下側循環ダクト６８０は、接続部材６２０を内包している。下側循環ダクト６８０の接続部６８３は、循環ダクトカバー５９０の接続部５９１とつながる。すなわち、液晶制御基板１４０の切欠部１４１は、循環ダクトカバー５９０の接続部５９１に覆われている。したがって、プロジェクタ５００の液晶制御基板５４０の光学エンジン部５６０が配置されていない側（他方の面（上面）側）には、流路が形成されない。
プロジェクタ５００では液晶冷却用ダクト５５０、光学エンジン部５６０、下側循環ダクト６８０、受熱ヒートシンクダクト６００は、組み合わさって、環状の環状流路６９１を形成している。環状流路６９１のうち、下側循環ダクト６８０が形成している部分を下側流路６９２と呼ぶ。なお、液晶制御基板５４０は、密閉空間Ｓ３の気密性を担保した状態で、循環ダクトカバー５９０の接続部５９１と下側循環ダクト６８０の接続部６８３とに挟まれている。
プロジェクタ５００においても、プロジェクタ１００と同様に、密閉空間Ｓ３の内部に配置されたファン６３０が、ガスを環状流路６９１に沿って循環させている。これにより、冷却対象である液晶パネル５７４にガスが供給されている。
【００３３】
＜作用・効果＞
（第１の効果）
プロジェクタ５００は、プロジェクタ１００と同様に、冷却対象である液晶パネル５７４にガスを供給できる（図１９参照）。したがって、プロジェクタ５００は、液晶パネル５７４を冷却できる。
【００３４】
（第２の効果）
プロジェクタ５００は、冷却対象である液晶パネル５７４を密閉空間Ｓ３の内部に備える（図１９参照）。この密閉空間Ｓ３は密閉されているため、プロジェクタ５００は、プロジェクタ１００と同様に、外気に含まれる粉塵が液晶パネル５７４に付着することで液晶パネル５７４が形成する画像が劣化することを防止することができる。
【００３５】
（第３の効果）
プロジェクタ５００において、循環するガスは、液晶制御基板５４０の切欠部（図示省略）を通過しない。したがって、プロジェクタ５００では、環状流路６９１は、液晶制御基板５４０の切欠部から形成されるオリフィスを通らない。したがって、プロジェクタ５００では、液晶制御基板５４０の切欠部を通過することを理由とするガスの圧力損失がない。
よって、プロジェクタ５００の冷却性能は、プロジェクタ３００よりも向上している。これにより、プロジェクタ５００は、プロジェクタ３００よりも小型でも充分な冷却性能を発揮することができる。
【００３６】
（第４の効果）
また、プロジェクタ５００では、循環するガスが液晶制御基板５４０の切欠部（図示省略）を通過しないために、液晶制御基板５４０の切欠部の近傍に接続された接続部材６２０が流路を塞ぐ部分は、循環するガスの流路から外れている。すなわち、プロジェクタ５００では、接続部材６２０が流路を塞ぐことを理由とするガスの圧力損失がない。
したがって、プロジェクタ５００は、プロジェクタ３００と比較して、冷却性能が向上している。これにより、プロジェクタ５００は、プロジェクタ３００よりも小型でも充分な冷却性能を発揮することができる。
【００３７】
［第３実施形態］
＜構成＞
図２０は、本発明の第３実施形態であるプロジェクタの構成を示す構造図である。図２０を参照すると、プロジェクタ７００は、液晶制御基板７４０、光学エンジン部７６０、接続部材８２０、下側循環ダクト８８０、ファン８３０及び放熱機構８４０を備える。
光学エンジン部７６０は、液晶制御基板７４０の一方の面側であって、該一方の面から離れた位置に配置され、内部に液晶パネル７７４を有する。
接続部材８２０は、液晶制御基板７４０及び液晶パネル７７４を互いに接続する。
下側循環ダクト８８０は、液晶制御基板７４０と光学エンジン部７６０との間に位置する。また、下側循環ダクト８８０は、光学エンジン部７６０の内部の液晶パネル７７４が配置された空間と連通して該空間を通る環状流路の一部を構成する。
ファン８３０は、環状流路を含む密閉空間Ｓ４の内部に位置し、密閉空間Ｓ４の内部のガスを循環させる。
放熱機構８４０は、密閉空間Ｓ４の内部の熱を外部に放熱する。
密閉空間Ｓ４は、接続部材８２０を内包する。
【００３８】
＜作用・効果＞
（第１の効果）
プロジェクタ７００は、プロジェクタ１００と同様に、冷却対象である液晶パネル７７４にガスを供給できる。したがって、プロジェクタ７００は、液晶パネル７７４を冷却できる。
【００３９】
（第２の効果）
プロジェクタ７００は、冷却対象である液晶パネル７７４を密閉空間Ｓ４の内部に備える（図２０参照）。この密閉空間Ｓ４は密閉されているため、プロジェクタ７００は、プロジェクタ１００と同様に、外気に含まれる粉塵が液晶パネル７７４に付着することで液晶パネル７７４が形成する画像が劣化することを防止することができる。
【００４０】
（第３の効果）
プロジェクタ７００において、循環するガスは、液晶制御基板７４０の切欠部（図示省略）を通過しない。したがって、プロジェクタ７００では、プロジェクタ５００と同様に、液晶制御基板７４０の切欠部を通過することを理由とするガスの圧力損失がない。よって、プロジェクタ７００の冷却性能が向上しており、小型で充分な冷却性能を発揮することができる。
【００４１】
（第４の効果）
プロジェクタ７００では、循環するガスが液晶制御基板７４０の切欠部を通過しないために、液晶制御基板７４０の切欠部の近傍に接続された接続部材８２０が流路を塞ぐ部分は、循環するガスの流路から外れて位置している。すなわち、プロジェクタ７００は、プロジェクタ５００と同様に、接続部材８２０が流路を塞ぐことを理由とするガスの圧力損失がない。したがって、プロジェクタ７００は、プロジェクタ３００よりも、冷却性能が向上しており、小型で充分な冷却性能を発揮することができる。
【符号の説明】
【００４２】
１００：プロジェクタ、１１０：光源ユニット、１１１：白色光、１２０：投写レンズホルダ、１３０：投写レンズ、１４０：液晶制御基板、１４１：切欠部、１４２：端部、１５０：液晶冷却ダクト、１５１：接続部、１５２：接続部、１６０：光学エンジン部、１６１：インテグレータ光学部、１６２：色分離光学部、１６３：映像形成部、１６４：外部隔壁、１６５：ダイクロイックミラー、１６６：ダイクロイックミラー、１６７：ミラー、１６８：ミラー、１６９：ミラー、１７０：リレーレンズ、１７１：リレーレンズ、１７２：レンズ、１７３：入射側偏光板、１７４：液晶パネル、１７５：出射側偏光板、１７６：クロスダイクロイックプリズム、１７７：レンズ、１７８：内部隔壁、１７９：接続部、１８０：接続部、１９０：上側循環ダクト、１９１：接続部、１９２：接続部、２０１：接続部、２０２：接続部、２２０：接続部材、２３０：ファン、２４０：放熱機構、２４１：受熱部材、２４２：放熱部材、２４３：伝熱部材、２７１：防塵部材、２７２：防塵部材、２７３：防塵部材、２７４：防塵部材、２７５：防塵部材、２８０：下側循環ダクト、２８１：接続部、２８２：接続部、２８３：接続部、２８４：接続部、２８５：開口、２９１：環状流路、２９２：下側流路、２９３：上側流路、３００：プロジェクタ、３１０：光源ユニット、３２０：投写レンズホルダ、３３０：投写レンズ、３４０：液晶制御基板、３４１：切欠部、３５０：液晶冷却ダクト、３６０：光学エンジン部、３７４：液晶パネル、３７６：クロスダイクロイックプリズム、３８０：接続部、３９０：上側循環ダクト、３９１：接続部、３９２：接続部、４０１：接続部、４２０：接続部材、４３０：ファン、４４０：放熱機構、４４２：入射側偏光板、４８１：第１中継ダクト、４８２：接続部、４８３：接続部、４８５：第２中継ダクト、４８６：接続部、４８７：接続部、４９１：環状流路、４９２：上側流路、５００：プロジェクタ、５１０：光源ユニット、５２０：投写レンズホルダ、５３０：投写レンズ、５４０：液晶制御基板、５５０：液晶冷却ダクト、５６０：光学エンジン部、５７４：液晶パネル、５９０：循環ダクトカバー、５９１：接続部、６２０：接続部材、６３０：ファン、６４０：放熱機構、６８０：下側循環ダクト、６８３：接続部、６９１：環状流路、６９２：下側流路、７００：プロジェクタ、７４０：液晶制御基板、７６０：光学エンジン部、７７４：液晶パネル、８２０：接続部材、８３０：ファン、８４０：放熱機構、８８０：下側循環ダクト、Ｌ１，Ｌ２：長さ、Ｌ３：幅、Ｓ１：密閉空間、Ｓ２：密閉空間、Ｓ３：密閉空間、Ｓ４：密閉空間
【図１】
2019211560.tif 000003
【図２】
2019211560.tif 000004
【図３】
2019211560.tif 000005
【図４】
2019211560.tif 000006
【図５】
2019211560.tif 000007
【図６】
2019211560.tif 000008
【図７】
2019211560.tif 000009
【図８】
2019211560.tif 000010
【図９】
2019211560.tif 000011
【図１０】
2019211560.tif 000012
【図１１】
2019211560.tif 000013
【図１２】
2019211560.tif 000014
【図１３】
2019211560.tif 000015
【図１４】
2019211560.tif 000016
【図１５】
2019211560.tif 000017
【図１６】
2019211560.tif 000018
【図１７】
2019211560.tif 000019
【図１８】
2019211560.tif 000020
【図１９】
2019211560.tif 000021
【図２０】
2019211560.tif 000022